(57)【要約】【課題】読取済原稿をページ順に揃えられた状態で排出堆積するようになし、且つ未読取原稿、スイッチバック原稿及び読取済原稿の峻別をつき易くした、両面読取可能な原稿読取装置における原稿搬送装置を提供する。【解決手段】下向きに堆積載置された原稿Ｄを下層より繰出す繰出手段４ａを備えた原稿供給トレイ４と、画像を下方より読取る読取部Ｐを経て原稿を搬送する略横向きの第１搬送路６と、該第１搬送路の延長上に連設された片面排出トレイ１０と、第１搬送路６ら上向きに分岐し、途中搬送原稿の反転部１４を経て第１搬送路６に合流する第２搬送路１１と、上記第２搬送路１１から分岐し、原稿供給トレイ４側に湾曲するよう形成された第３搬送路１６と、該第３搬送路１６の延長上に連設されて上記反転部１４の上方に位置する両面排出トレイ１８とよりなることを特徴とする。【選択図】        図１
2005089016.tif 000002
【特許請求の範囲】
【請求項１】
下向きに堆積載置された原稿を下層より繰出す繰出手段を備えた原稿供給トレイと、繰出された原稿の画像を下方より読取る読取部を経て原稿を略横向きに搬送する第１搬送路と、該第１搬送路の延長上に連設された片面排出トレイと、上記読取部と片面排出トレイとの間の第１搬送路から上向きに分岐し、途中搬送原稿の反転部を経て上記原稿供給トレイと読取部との間の第１搬送路に合流する第２搬送路と、上記第１搬送路との分岐部と上記反転部との間の第２搬送路から分岐し、原稿供給トレイ側に湾曲するよう形成された第３搬送路と、該第３搬送路の延長上に連設されて上記反転部の上方に位置する両面排出トレイとよりなることを特徴とする原稿搬送装置。
【請求項２】
上記原稿供給トレイにおける原稿供給口が、両面排出トレイへの排出口に対し、上記読取部から離れた位置に設けられていることを特徴とする請求項１に記載の原稿搬送装置。
【請求項３】
上記原稿供給トレイが、プラテンガラス上に静止させた原稿を、該プラテンガラスの下面を往復移動するスキャナにより読取る平板式読取装置における原稿押圧板の上面に略水平状態で形成されていることを特徴とする請求項１又は２に記載の原稿搬送装置。
【発明の詳細な説明】
【技術分野】
【０００１】
本発明は、原稿を搬送させながら、搬送路の途中に配設された読取部において原稿画像を読取る所謂シートスルータイプの読取装置における原稿搬送装置に関し、更に詳しくは、原稿の両面画像をも読取が可能なように構成された原稿搬送装置に関する。
【背景技術】
【０００２】
上記シートスルータイプの読取装置は、読取部のプラテンガラスの下方に読取スキャナを静止させておき、自動原稿送り装置（ＡＤＦ）により原稿をプラテンガラスに連続給送させながら、その画像を読取るものである。一方、シート固定タイプの読取装置は、ＡＤＦからの原稿を搬送ベルトにより平板式読取装置（フラットベットスキャナ、略称ＦＢＳ）のプラテンガラス上に送り、一旦静止させ、プラテンガラスの下をスキャナを移動させることによって画像の読取を行うものである。シート固定タイプの読取装置は、原稿を１枚ずつプラテンガラス上に送り、静止させた上で読取を行うものであるから、両面原稿の読取を行う場合には、その処理時間がかかり、処理スピードに限界があることから、上記シートスルータイプでの両面読取の試みがなされるようになった。このような、シートスルータイプの原稿読取装置において、両面原稿の読取が可能なように構成された原稿搬送装置の例として、特許文献１或いは特許文献２に開示されたものが挙げられる。
【特許文献１】特許第３００７８５８号公報
【特許文献２】特開平１１−３１４８５５号公報
【発明の開示】
【発明が解決しようとする課題】
【０００３】
上記特許文献１に開示された両面原稿送り装置は、原稿供給トレイから走査面（読取部）を経て排出トレイに至る複数の原稿搬送路及び反転搬送路を備え、片面読取した原稿も、両面読取した原稿も、同一の排出トレイにページ順に排出されるよう構成されている。そして、原稿供給トレイには、原稿束を第１ページが下向きになるよう堆積載置し、給紙搬送時には最上層原稿（最終原稿）から繰出し、両面原稿の場合は、各原稿の第２面（裏面）及び第１面（表面）の順に読取り、排出トレイには最終原稿から逐次各原稿の第１面が上向きになるよう排出堆積していく。その結果、排出トレイには、原稿がページ順に揃えられて排出堆積される。しかし、最終原稿から繰り出され搬送されるようになされているので、例えば、途中で原稿ジャムが発生し、装置が既に繰り出された原稿の一部ページを給紙トレイに戻すよう操作者に指示する場合、その指示ページ数と実際のページ数とが合わず、操作者が戸惑いを感じることがある。このような事例は、ＦＡＸ送信において、送信上の何らかのエラーが発生し、一部原稿が送信できなかった為に、操作者に当該一部原稿の再送信を促す場合にも起こる。
【０００４】
また、特許文献２には、次のように構成された原稿送り装置が開示されている。即ち、給紙（原稿）トレイ上に原稿束を第１ページが下向きになるよう堆積載置し、最下層の原稿から繰り出し搬送して、読取位置で第１面の読取を行い、湾曲した搬送路を搬送しスイッチバック部で原稿のスイッチバックを行う。スイッチバックの後、原稿を再度搬送し、片面原稿の場合は読取位置で読取走査させずに通過させ、また両面原稿の場合は読取位置で第２面の読取を行った後、上記湾曲した搬送路を搬送させ、排出トレイを兼ねる原稿トレイ上に原稿を排出堆積させる。この場合、排出トレイを兼ねる原稿トレイ上には、読取後の原稿がページ順に揃えられた状態で下向きに排出堆積されるから、改めてページ揃えをする必要がなく、しかも原稿トレイ上からはページ順に繰出し搬送されるから、上記のようなジャム時等における問題は生じない。しかし、原稿トレイが排出トレイを兼ねるから、原稿トレイには、未読取原稿と読取済原稿とを識別する為の手段を必要とし、更には、この原稿トレイ上の排出原稿上にはスイッチバック原稿が一時的に滞留することになり、排出原稿とスイッチバック原稿との峻別がつきにくく、操作者の混乱を招くことも予想される。
【０００５】
本発明は、上記のような実情に鑑みなされたものであり、原稿トレイ上の原稿をページ順に繰出し搬送すると共に、排出トレイ上には読取済原稿をページ順に揃えられた状態で排出堆積するようになし、且つ未読取原稿、スイッチバック原稿及び読取済原稿の峻別をつき易くした、両面読取可能な原稿搬送装置を提供するものである。
【課題を解決するための手段】
【０００６】
本発明は、下向きに堆積載置された原稿を下層より繰出す繰出手段を備えた原稿供給トレイと、繰出された原稿の画像を下方より読取る読取部を経て原稿を略横向きに搬送する第１搬送路と、該第１搬送路の延長上に連設された片面排出トレイと、上記読取部と片面排出トレイとの間の第１搬送路から上向きに分岐し、途中搬送原稿の反転部を経て上記原稿供給トレイと読取部との間の第１搬送路に合流する第２搬送路と、上記第１搬送路との分岐部と上記反転部との間の第２搬送路から分岐し、原稿供給トレイ側に湾曲するよう形成された第３搬送路と、該第３搬送路の延長上に連設されて反転部の上方に位置する両面排出トレイとよりなることを特徴とする。
【０００７】
請求項２の発明は、上記原稿供給トレイにおける原稿供給口が、両面排出トレイへの排出口に対し、上記読取部から離れた位置に設けられていることを特徴とする。
【０００８】
請求項３の発明は、上記原稿供給トレイが、プラテンガラス上に静止させた原稿を、該プラテンガラスの下面を往復移動するスキャナにより読取る平板式読取装置（ＦＢＳ）における原稿押圧板の上面に略水平状態で形成されていることを特徴とする。
【発明の効果】
【０００９】
本発明によれば、原稿は、原稿供給トレイに下向きに堆積載置され、その下層より繰出されるから、ページ順に順次繰出されることになる。そして、片面読取の場合は、読取部においてその第１面（表面）の画像が下方より読取られた後、原稿は略横向きの第１搬送路を経てその延長上の片面排出トレイに排出されるから、片面排出トレイ上にはそのまま下向きページ順に排出堆積されることになる。また、両面読取の場合、上記同様その表面の画像が読取られた原稿は、第１搬送路から分岐する第２搬送路に導入され、反転部で反転された後再度第１搬送路に導入されて、読取部でその第２面（裏面）の画像が読取られる。このように第２面の画像が読取られた原稿は、第２搬送路を経て、その途中から分岐して原稿供給トレイ側に湾曲した第３搬送路に導入され、その延長上の両面排出トレイに排出堆積される。従って、この両面排出トレイにおいても、読取済原稿はその第1 面を下にしてページ順に堆積されることになる。
【００１０】
このように、各排出トレイには原稿がページ順に排出堆積されるから、改めてページ順を揃える必要がなく、また、原稿供給トレイからはページ順に繰出されるから、原稿ジャム時等における修復上の操作者の戸惑いも生じない。しかも、原稿供給トレイ、片面排出トレイ及び両面排出トレイは、夫々個別に設けられるから、未読取原稿及び読取済原稿の混同がなく、また両面排出トレイが反転部の上方に位置するから、反転部に一時的に滞留する原稿と読取済原稿との混同を生ずる懸念もない。
【発明を実施するための最良の形態】
【００１１】
以下に本発明の最良の実施の形態について図面を参照して説明する。図１はファクシミリ装置や複写機、或いはファクシミリと複写の両機能を備えた所謂複合機における原稿搬送装置１の要部の縦断面図を示すものである。
【実施例】
【００１２】
図例の原稿搬送装置１は、シートものの原稿Ｄを１枚ずつ搬送しながら、その片面若しくは両面の画像を読み取って、それぞれデジタル信号として出力するための自動原稿送り装置（ＡＤＦ）として構成されている。原稿搬送装置１は、後記するＦＢＳ部２における原稿押圧板（プラテンカバー）３の上面側辺部に装備され、該原稿押圧板３の上面には原稿供給トレイ４が略水平状態で設置されている。この原稿供給トレイ４の先側には、原稿繰出ローラ（繰出手段）４ａが原稿供給トレイ４の板面上にやや突出するよう設けられており、その矢視方向への回転により、原稿供給トレイ４上に下向きに堆積載置された原稿束から最下層の原稿Ｄが順次繰出される。４ｂは原稿束のバタつきを防止する為のワイヤ等で形成された原稿押えである。また、４ｃは原稿供給トレイ４上の原稿の有無を検出する原稿有無センサである。
【００１３】
上記原稿供給トレイ４の原稿供給口４ｄには、上下にリタードローラ５ａ及び分離ローラ５が対設され、夫々が矢視方向に回転することにより、原稿繰出ローラ４ａから複数枚の原稿が重送状態で繰出されても、上層部の原稿が押し戻され、下層の１枚だけが分離給送されるようになされている。このような原稿の分離給送手段としては、図例のような分離ローラ５とリタードローラ５ａによるものに限らず、分離ローラとこれに弾接する分離パッドによるものも採用可能であることは言うまでもない。
【００１４】
上記分離ローラ５及びリタードローラ５ａの排出側には、やや下向きに湾曲する略横方向の第１搬送路６が形成され、該第１搬送路６の湾曲底部に読取ポイント（読取部）Ｐが配置されている。この読取ポイントＰを挟んで上下流側には、レジストローラ７及び第１搬送ローラ８が設けられ、これらローラ７、８に夫々対設されたプレッシャーローラ７ａ、８ａとにより、原稿をニップして搬送するよう構成されている。レジストローラ７の上流側近傍の第１搬送路６には、レジストセンサ（リードセンサ）７ｂが設置され、該レジストセンサ７ｂは、搬送される原稿を検出し、レジストローラ７のオン・オフ制御或いは後記する読取走査装置の制御の為の検出情報を出力すると共に、原稿サイズ情報をも出力するよう構成される。
【００１５】
上記第１搬送路６の終端部には、第１排出ローラ９及びこれに対接するプレッシャーローラ９ａが設けられ、更に、この排出側に片面排出トレイ１０が略水平状態で連成されている。該片面排出トレイ１０は、原稿供給トレイ４と同様、原稿押圧板３の上面に形成されている。第１搬送路６における第１搬送ローラ８及び排出ローラ９間の途中には、第２搬送路１１への分岐部が配設され、この分岐部には図のように実線及び破線間で経路切換可能な第１ゲート１１ａが設けられている。このように分岐された第２搬送路１１は、上方に湾曲し、上記分離ローラ５及びレジストローラ７間で第１搬送路６に合流して、第１搬送路６とによりループ状の搬送路を形成する。該第２搬送路１１の途中には、第２搬送ローラ１２及びプレッシャーローラ１２ａ、第３搬送ローラ１３及びプレッシャーローラ１３ａ、反転部１４並びに第４搬送ローラ１５及びプレッシャーローラ１５ａが夫々配設されている。尚、片面排出トレイ１０は、原稿押圧板３の上面に形成されるものとしたが、原稿押圧板３の上面ではなく、装置側方に突出するよう配置してよい。
【００１６】
上記反転部１４は、第２搬送路１１の引込み部１１ｂに設けられたスイッチバックローラ１４ａ及びプレッシャーローラ１４ｂからなり、該引込み部１１ｂの入口部には弾性体からなるマイラー１１ｃが固着されている。このマイラー１１ｃは、第３搬送ローラ１３から搬送される原稿の推進力により、弾性変形してその通過を許容する一方、スイッチバックローラ１４ａによりスイッチバックする原稿が第３搬送ローラ１３側に後退するのを阻止すると共に第４搬送ローラ１５側に向かうようガイドするものである。上記マイラー１１ｃの上流側近傍にはスイッチバックセンサ１１ｄが設置され、一方、スイッチバックローラ１４ａは正逆回転可能とされており、第３搬送ローラ１３からスイッチバックローラ１４ａに搬送される原稿の後端が、第３搬送ローラ１３を外れ、その後端を該スイッチバックセンサ１１ｄが検出すると、該後端がスイッチバックローラ１４ａの近傍に到達するまでの予め計測・設定された時間の経過後、スイッチバックローラ１４ａを停止させ、その後逆回転させるべく構成される。
【００１７】
上記第２搬送路１１における第２搬送ローラ１２及び第３搬送ローラ１３間の途中には、上方に延び且つ原稿供給トレイ４側に湾曲する第３搬送路１６への分岐部が配設され、この分岐部には図のように実線及び破線間で経路切換可能な第２ゲート１６ａが設けられている。そして、該第３搬送路１６の終端部には、第２排出ローラ１７及びこれに対接するプレッシャーローラ１７ａが設けられ、更に、この排出側に両面排出トレイ１８が上向き傾斜状態で連成されている。１９は上記原稿搬送装置を覆うカバーであって、原稿押圧板３に固設されている。
【００１８】
上記読取ポイントＰにはプラテン２０が配置され、原稿が該プラテン２０上を通過する際、このプラテン２０の下部に待機された読取走査装置２１により原稿表面の画情報が逐次読み取られ、上記のようにデジタル信号として出力される。この読取走査装置２１は、蛍光灯或いは冷陰極管からなる光源２１ａと、複数のミラー２１ｂ…と、集光レンズ２１ｃと、ＣＣＤ（電荷結合素子）２１ｄとよりなり、これらがユニット化され、キャリッジ２１ｅ上に搭載されている。光源２１ａからの照射光は、プラテン２０上の読取ポイントＰを通過する原稿により反射され、その後４個のミラー２１ｂ…で反射を繰り返し、集光レンズ２１ｃで集光され、ＣＣＤ２１ｄに入光する（１点鎖線の光路参照）。ＣＣＤ２１ｄでは、原稿の表面上に描かれた画情報が電気信号に変換され、デジタル信号として出力される。
【００１９】
図例の読取走査装置２１は、フラットベッドスキャナ（ＦＢＳ）にも兼用するよう構成されている。即ち、図示を一部省略したが、図１における破断部分の右側にはＦＢＳ部２が連成されている。上記キャリッジ２１ｅは、図例ではＡＤＦ原稿の読取位置に静止された状態を示すが、ＦＢＳ原稿の読取時には、ＦＢＳ部２内に移動し、ＦＢＳ部２内をプラテンガラス２２の下面に沿って往復移動し、この往復移動の間、プラテンガラス２２上に載置された原稿の画情報が、読取走査装置２１によって上記同様に読み取られる。原稿搬送装置１、原稿供給トレイ４、片面排出トレイ１０及び両面排出トレイ１８は原稿押圧板３上に形成され、紙面奥側をヒンジ部（不図示）として上下に開閉可能とされている。従って、ＦＢＳ部２にて原稿読み取りを行う際は、この原稿押圧板３を開け、露見したプラテンガラス２２上に原稿を載置することによりなされる。
【００２０】
次に、上記構成の原稿搬送装置を用いた原稿搬送動作について図を参照して説明する。図２〜図４は片面読取の際の原稿搬送動作を説明する図である。図２において、原稿供給トレイ４上に多数の原稿Ｄが下向きページ順に堆積載置され、操作者の装置操作パネル（不図示）上での片面読取（通常読取）であることのモード設定操作（通常は標準状態であるためモード切替操作が不要であることが多い）により、第１搬送路６における第１ゲート１１ａが第１排出ローラ９側に開放（第２搬送ローラ１２側には閉止）される。尚、原稿供給トレイ４上の原稿Ｄは最初の２枚だけを明示し、その他の原稿Ｄについては簡略化して示してある。また、原稿に付された数字１は、１枚目原稿Ｄ１の第１面（表面）を、２はその第２面（裏面）を、また３は２枚目原稿Ｄ２の第１面（表面）を、４はその第２面（裏面）を夫々示す。
【００２１】
操作者により操作スイッチがオンされると、繰出しローラ４ａから、第１排出ローラ９に至る第１搬送路６に沿った一連の搬送系が作動する。これに伴い、分離ローラ５及びリタードローラ５ａにより上層原稿の重送が阻止された状態で、原稿供給トレイ４上の最下層の原稿Ｄ１が繰出・給送され、レジストローラ７によってレジストされて、読取ポイントＰで第１面の原稿画像が読取られながら、搬送が連続的になされる。そして、原稿Ｄ１は、第１搬送ローラ８により搬送され、図３の１点鎖線で示すような第１搬送路６に沿った搬送パスラインを描き、第１排出ローラ９により片面排出トレイ１０に排出される。この片面排出トレイ１０に排出された原稿Ｄ１は、その第１面が下向きになるよう載置される。引続き、２枚目原稿Ｄ２が同様に繰出・給送され、その第１面の原稿画像が読取られ、図４に示すように片面排出トレイ１０上の１枚目原稿Ｄ１の上に排出・堆積される。
【００２２】
上記のように、片面排出トレイ１０上には、読取済の原稿が１枚目原稿Ｄ１からその第１面を下向きにして順次排出・堆積されていくから、全ての原稿の読取終了後、片面排出トレイ１０上の原稿を改めてページ揃えする必要がない。また、原稿搬送の途中に原稿ジャムが発生し、ページを指定して一部原稿を原稿供給トレイ４に戻すよう指示があった場合に、その指示ページ数と実際のページ数との整合性が図られるから、操作者の戸惑いも生じない。尚、この片面読取に関与しない各ローラ等の搬送系については、図２〜図４において図１と同一の符号を付すに止め、その説明を割愛するが、これらは片面読取の際には原則作動しないような制御がなされるものである。
【００２３】
図５〜図７は両面読取の場合の原稿搬送動作を説明する図である。図５は、原稿供給トレイ４上に多数の原稿Ｄが下向きページ順に堆積載置され、且つ操作者によって両面読取であることのモード設定操作がなされた状態である。即ち、第１ゲート１１ａは第２搬送路１１側に開放（片面排出ローラ１０側には閉止）され、また、第２ゲート１６ａは第３搬送ローラ１３側に開放（両面排出トレイ１８側には閉止）された状態である。尚、原稿Ｄに関する明示の仕方については、上記と同様である。
【００２４】
操作者により操作スイッチがオンされると、繰出しローラ４ａから、第４搬送ローラ１５に至る第１搬送路６及び第２搬送路１１に沿った一連の搬送系が作動する（スイッチバックローラ１４ａは正転）。これに伴い、分離ローラ５及びリタードローラ５ａにより上層原稿の重送が阻止された状態で、原稿供給トレイ４上の最下層の原稿Ｄ１が繰出・給送され、レジストローラ７によってレジストされて、読取ポイントＰで第１面の原稿画像が読取られながら、搬送が連続的になされる。そして、原稿Ｄ１は、第１搬送ローラ８、第２搬送ローラ１２及び第３搬送ローラ１３により搬送され、図６の１点鎖線で示すような第１搬送路６及び第２搬送路１１に沿った搬送パスラインを描き、マイラー１１ｃを弾性変形させてスイッチバックローラ１４ａ及びプレッシャーローラ１４ｂ間に導入される。  
【００２５】
原稿Ｄ１の後端がスイッチバックセンサ１１ｄにより検出されると、上記所定時間後にスイッチバックローラ１４ａが停止し、図６に示すように、原稿Ｄ１はその後端部がスイッチバックローラ１４ａ及びプレッシャーローラ１４ｂにニップされた状態で一旦停止する。尚、図では反転部１４で保持された原稿Ｄ１を便宜上直状に描いているが、実際にはその先側が自重で原稿供給トレイ４上に垂れ下がるようになることは言うまでもない。このように原稿Ｄ１が反転部１４で一時的に滞留する間、その先側が原稿供給トレイ４上の未読取の原稿Ｄに触れるが、この間は原稿供給トレイ４上の原稿Ｄの繰出しがなされないから、原稿Ｄ１の先側がこれに追従して引っ張られるようなことはない。
【００２６】
その後、スイッチバックローラ１４ａが逆転し、原稿Ｄ１はその後端側から逆送されることになるが、マイラー１１ｃが弾性復元して第２搬送ローラ１３側の第２搬送路１１を塞ぐから、該原稿Ｄ１はマイラー１１ｃにガイドされるようにして第３搬送ローラ１５側に給送され、更に、第１搬送路６との合流部を経て再度レジストローラ７及びプレッシャーローラ７ａ間に導入される。この時、レジストセンサ７ｂが原稿Ｄ１の先端を検出し、これにより第２ゲート１６ａが両面排出トレイ１８側に開放（第３搬送ローラ１３側には閉止）されると共に第２排出ローラ１７が作動を開始する。斯くして、原稿Ｄ１は、その第２面を下にして読取ポイントＰ上を通過し、当該第２面の画像が読取られ、第１及び第２搬送ローラ８、１２により引き続き搬送され、第１及び第２ゲート１１ａ、１６ａを経て、図７に一点鎖線で示す搬送パスラインを描き、第２排出ローラ１７により両面排出トレイ１８上に排出される。
【００２７】
この両面排出トレイ１８に排出された原稿Ｄ１は、その第１面が下向きになるよう載置される。引続き、２枚目原稿Ｄ２が上記同様に繰出・給送されてその第１面の原稿画像が読取られ、反転部１４で反転された後第２面の原稿画像が読取られ、両面排出トレイ１８上の１枚目原稿Ｄ１の上に排出・堆積される。このように、両面排出トレイ１８上には、両面読取がされた原稿が１枚目原稿Ｄ１からその第１面を下向きにして順次排出・堆積されていくから、上記片面読取の場合と同様に、全ての原稿の読取終了後、両面排出トレイ１８上の原稿を改めてページ揃えする必要がない。また、原稿搬送の途中に原稿ジャムが発生し、ページを指定して一部原稿を原稿供給トレイ４に戻すよう指示があった場合に、その指示ページ数と実際のページ数との整合性が図られるから、操作者の戸惑いも生じない。しかも、両面排出トレイ１８が反転部１４の上方に位置するから、読取済原稿とスイッチバックのため反転部に一時的に滞留する原稿との混同も生じない。
【００２８】
また、上記構成においては、原稿供給トレイ４と両面排出トレイ１８とが上下関係で位置することになるが、原稿供給トレイ４における原稿供給口４ｄが、第３搬送路１６からの両面排出トレイ１８への排出口に対し、上記読取部Ｐから離れた位置に設けられているから、原稿供給口４ｄ付近の空間が大きく確保されて原稿供給口４ｄが視認し易くなり、原稿供給トレイ４への原稿セット時のハンドリング性が向上する。しかも、両面排出トレイ１８は上向き傾斜状態で設けられているから、原稿供給トレイ４との空間がより大きく確保され、原稿供給トレイ４への原稿のセット性が一層向上する。
【００２９】
更に、上記原稿供給トレイ４が、ＦＢＳ部２における原稿押圧板３の上面に略水平状態で形成されているので、原稿押圧板３を覆うカバー自体の上面を原稿供給トレイ４とすることができ、装置のコンパクト化が図られると共に、原稿供給トレイ４への原稿のセット性が向上する。
【図面の簡単な説明】
【００３０】
【図１】原稿搬送装置と走査装置の要部を示す縦断面図である。
【図２】片面読取の場合の原稿搬送動作を説明する図であり、原稿がセットされ搬送スタンバイの状態を示す図である。
【図３】同１枚目原稿の搬送の状態を示す図である。
【図４】同２枚目原稿の搬送の状態を示す図である。
【図５】両面読取の場合の原稿搬送動作を説明する図であり、原稿がセットされ搬送スタンバイの状態を示す図である。
【図６】同１枚目原稿の搬送及び第１面の読取を行う状態を示す図である。
【図７】同１枚目原稿を反転搬送し第２面の読取を行い排出させる状態を示す図である。
【符号の説明】
【００３１】
１      原稿搬送装置
２      ＦＢＳ部（平板式読取装置）
３      原稿押圧板
４      原稿供給トレイ
４ａ    繰出ローラ（繰出手段）
４ｄ    原稿供給口
６      第１搬送路
１０    片面排出トレイ
１１    第２搬送路
１６    第３搬送路
１８    両面排出トレイ
２１    読取走査装置（スキャナ）
２２    プラテンガラス
Ｐ      読取ポイント（読取部）
Ｄ      原稿
【図１】
2005089016.tif 000003
【図２】
2005089016.tif 000004
【図３】
2005089016.tif 000005
【図４】
2005089016.tif 000006
【図５】
2005089016.tif 000007
【図６】
2005089016.tif 000008
【図７】
2005089016.tif 000009